(57)【特許請求の範囲】
【請求項１】
音声通話発着信を主に行う移動電話機と、ＩＳＤＮ回線の発着信制御を行うＩＳＤＮＩ／Ｆを有し、前記移動電話機と無線を介して接続される固定電話機とを備えたＩＳＤＮコードレス電話装置であって、前記固定電話機は、アナログ回線用ＦＡＸの接続を行うためのアナログ回線Ｉ／Ｆと、前記ＩＳＤＮ回線からのＦＡＸ着信を判定するＦＡＸ（ＣＮＧ）信号検出手段と、前記アナログ回線Ｉ／Ｆへ着信信号（１３００Ｈｚ／１６Ｈｚ着信）を送出してアナログポートへ着信をかける手段と、前記ＩＳＤＮ回線に対して各種の応答メッセージを送出する音声信号処理手段と、ＦＡＸ接続運用上から手動切替、自動切替、ダイヤルイン、ＦＡＸ接続無しの４モードの設定手段と、前記４モードのそれぞれの設定に応じて前記アナログ回線Ｉ／Ｆへの着信を制御するとともにモードに応じた応答メッセージを送出するように前記音声信号処理手段を制御する制御手段と、を有することを特徴とするＩＳＤＮコードレス電話装置。
【請求項２】
前記制御手段は、手動切替モード設定において、外線着信時には前記アナログ回線Ｉ／Ｆへ外線着信信号を送出せず、固定電話機又は移動電話機が手動で応答した後、通話中にＦＡＸ（ＣＮＧ）信号を検出すると、前記音声信号処理手段によりＦＡＸへ転送する旨の応答メッセージを送出するとともに、前記アナログポートへ着信をかける手段により前記アナログ回線Ｉ／Ｆへ着信信号（１３００Ｈｚ／１６Ｈｚ着信）を送出するように制御することを特徴とする請求項１記載のＩＳＤＮコードレス電話装置。
【請求項３】
前記制御手段は、自動切替モード設定において、外線着信時には前記アナログ回線Ｉ／Ｆへ外線着信信号を送出せず、固定電話機が自動で回線を捕捉して応答した後、数秒間無音時間を設けてＦＡＸ（ＣＮＧ）信号検出を可能とし、通話中に該信号を検出すると、前記アナログポートへ着信をかける手段により前記アナログ回線Ｉ／Ｆへ着信信号（１３００Ｈｚ／１６Ｈｚ着信）を送出するように制御することを特徴とする請求項１記載のＩＳＤＮコードレス電話装置。
【請求項４】
前記制御手段は、ＦＡＸ接続無し設定において、外線着信時には前記アナログ回線Ｉ／Ｆへ外線着信信号を送出することを特徴とする請求項１記載のＩＳＤＮコードレス電話装置。
【請求項５】
前記制御手段は、ダイヤルイン設定において、ダイヤルイン番号着信時には前記アナログ回線Ｉ／Ｆへ外線着信信号を送出し、グローバル番号着信時には前記アナログ回線Ｉ／Ｆへ外線着信信号を送出しないことを特徴とする請求項１記載のＩＳＤＮコードレス電話装置。
【発明の詳細な説明】
【０００１】
【発明の属する技術分野】
本発明は、ＩＳＤＮ回線に接続する留守番電話機能を有するコードレス電話装置に関する。
【０００２】
【従来の技術】
従来コードレス電話機を利用してＩＳＤＮ回線で電話（音声）とＦＡＸの両方の着信を受けるためには、ＩＳＤＮコードレスターミナルアダプタ（ＩＳＤＮコードレス電話機）にアナログ回線用ＦＡＸを接続するかＩＳＤＮ回線専用コードレスＦＡＸを新規に購入するかの２方法が考えられた。しかし、新規にＩＳＤＮコードレスＦＡＸを購入すると従来のアナログ回線用ＦＡＸが不用で廃棄することとなり非常に高価となってしまうという問題があった。
【０００３】
また、従来のＩＳＤＮコードレスターミナルアダプタ（ＩＳＤＮコードレス電話機）にＦＡＸを接続するには、以下のような問題点があった。
【０００４】
（１）アナログポートはアナログ回線用一般接続機器（電話機）の検討しかされてなくＦＡＸ専用に検討があまりされていない、またグローバル着信、ダイヤルイン着信、サブアドレス着信、優先着信、高位レイヤー整合性等の個別設定が有るだけでどの様に設定すればＦＡＸを接続して使用できるかわからない。
【０００５】
（２）ＩＳＤＮコードレスターミナルアダプタ（ＩＳＤＮコードレス電話機）にＦＡＸ信号（ＣＮＧ）検出機能が無くコードレス子機でＦＡＸ受信を行うとＦＡＸに転送してもＦＡＸ信号制御上間に合わず受信できないことがあった。またＦＡＸ側で音声着信を受信してしまうと自動的に転送されず音声着信が通話相手に正規につながらないことがあった。
【０００７】
【発明が解決しようとする課題】
本発明は、このような従来の問題を解決するものであり、固定電話機側でＦＡＸ（ＣＮＧ）信号検出制御を行うことによりコードレス電話機（固定電話機、移動電話機）だけでなくアナログポートに接続されるＦＡＸを含めたシステム全体で音声、ＦＡＸ両方を確実に受信できる優れたＩＳＤＮコードレス電話装置を提供することを目的とする。
【０００８】
【課題を解決するための手段】
上記目的を達成するために本発明は、音声通話発着信を主に行う移動電話機と、ＩＳＤＮ回線の発着信制御を行うＩＳＤＮＩ／Ｆを有し、移動電話機と無線を介して接続される固定電話機とを備えたＩＳＤＮコードレス電話装置であって、固定電話機は、アナログ回線用ＦＡＸの接続を行うためのアナログ回線Ｉ／Ｆと、ＩＳＤＮ回線からのＦＡＸ着信を判定するＦＡＸ（ＣＮＧ）信号検出手段と、アナログ回線Ｉ／Ｆへ着信信号（１３００Ｈｚ／１６Ｈｚ着信）を送出してアナログポートへ着信をかける手段と、ＩＳＤＮ回線に対して各種の応答メッセージを送出する音声信号処理手段と、ＦＡＸ接続運用上から手動切替、自動切替、ダイヤルイン、ＦＡＸ接続無しの４モードの設定手段と、この４モードのそれぞれの設定に応じてアナログ回線Ｉ／Ｆへの着信を制御するとともにモードに応じた応答メッセージを送出するように音声信号処理手段を制御する制御手段と、を有することを特徴とするものである。更に、この制御手段は、手動切替モード設定において、外線着信時にはアナログ回線Ｉ／Ｆへ外線着信信号を送出せず、固定電話機又は移動電話機が手動で応答した後、通話中にＦＡＸ（ＣＮＧ）信号を検出すると、音声信号処理手段によりＦＡＸへ転送する旨の応答メッセージを送出するとともに、アナログポートへ着信をかける手段によりアナログ回線Ｉ／Ｆへ着信信号（１３００Ｈｚ／１６Ｈｚ着信）を送出するように制御し、また更に、自動切替モード設定において、外線着信時にはアナログ回線Ｉ／Ｆへ外線着信信号を送出せず、固定電話機が自動で回線を捕捉して応答した後、数秒間無音時間を設けてＦＡＸ（ＣＮＧ）信号検出を可能とし、通話中に該信号を検出すると、アナログポートへ着信をかける手段によりアナログ回線Ｉ／Ｆへ着信信号（１３００Ｈｚ／１６Ｈｚ着信）を送出するように制御し、また更に、ＦＡＸ接続無し設定において、外線着信時にはアナログ回線Ｉ／Ｆへ外線着信信号を送出し、また更に、ダイヤルイン設定において、ダイヤルイン番号着信時にはアナログ回線Ｉ／Ｆへ外線着信信号を送出し、グローバル番号着信時にはアナログ回線Ｉ／Ｆへ外線着信信号を送出しない、ことを特徴とするものである。
【０００９】
したがって、本発明のＩＳＤＮコードレス電話装置によれば、
（１）ＦＡＸ接続を固定電話機の簡単な設定のみで可能とする。
（２）固定電話機側にＦＡＸ（ＣＮＧ）信号検出機能を有するためコードレス子機でＦＡＸ受信を行っても自動的にＦＡＸに転送可能となる。という格別の効果を奏するものである。
【００１０】
【発明の実施の形態】
以下、本発明の実施の形態について、図面を用いて説明する。
図１は、本発明の実施形態におけるＩＳＤＮコードレス電話装置のシステム構成を示し、図２は本実施形態における固定電話機の構成を示し、図３は本実施形態における移動電話機の構成を示し、図４は本実施形態における制御フローの概要を示すものである。
【００１１】
まず、図１のＩＳＤＮコードレス電話装置のシステム構成から説明する。図１の固定電話機１はＩＳＤＮディジタルコードレス電話親機であり、固定電話機１はＩＳＤＮ回線60に接続され無線を介して移動電話機（ディジタルコードレス電話子機）21と接続されている。またアナログ回線用ＦＡＸ40とはＦＡＸ接続用アナログポート（アナログ回線Ｉ／Ｆ）19を介して接続されている。
【００１２】
次に、固定電話機１について図２を用いて説明する。図２においてアンテナ２は、受信部３、送信部４に接続されている。アンテナ２からの受信信号は受信部３を介してＩＳＤＮＩ／Ｆ５に入力される。同様にＩＳＤＮＩ／Ｆ５からの出力信号は送信部４を介してアンテナ２から空中に送出される。
【００１３】
ＩＳＤＮＩ／Ｆ５は、マイク14、スピーカ15、ハンドセット16に接続され、かつＤＳＵ17を介してＩＳＤＮ回線60とも接続されている。マイクロコンピュータ６は、受信部３、送信部４と無線データの送受を行い、またＩＳＤＮＩ／Ｆ５、音声信号処理部（ＤＳＰ）12の制御を行い、キー７、ランプ・ＬＣＤ８、ＩＤメモリ９、電源回路10とも接続されている。
【００１４】
次に、移動電話機21について図３を用いて説明する。図３においてアンテナ22は、受信部23、送信部24に接続されている。アンテナ22からの受信信号は受信部23を介して通話制御部25に入力される。同様に通話制御部25からの出力信号は送信部24を介してアンテナ22から空中に送出される。
【００１５】
通話制御部25は、マイク34、スピーカ35、レシーバ36に接続されている。マイクロコンピュータ26は、受信部23、送信部24と無線データの送受を行い、また通話制御部25、充電池31、トーン出力部32の制御を行い、キー27、ランプ・ＬＣＤ28、ＩＤメモリ29、電源検出回路30とも接続されている。
【００１６】
次に、本発明の上記実施形態の動作について、図４の制御フローを用いて概略的に説明する。固定電話機１はアナログ回線Ｉ／Ｆ19に接続されるＦＡＸ40の使用方法により、（１）ＦＡＸ接続無し、（２）ＦＡＸ手動切替、（３）ＦＡＸ自動切替、（４）ダイヤルイン（ダイヤルイン番号の登録を含む）の４種類の設定だけで、グローバル着信、ダイヤルイン着信、優先着信、サブアドレス着信、高位レイヤーの整合性を含むアナログ回線の着信仕様を全て設定可能とする。
【００１７】
また、（１）ＦＡＸ接続無し設定は、アナログ回線Ｉ／Ｆ19にＦＡＸ40を接続しない場合で固定電話機１、移動電話機21、アナログ回線Ｉ／Ｆ19、アナログ用電話機で音声通話のみでの使用を実現する設定であり、（２）ＦＡＸ手動切替設定は、一般ＦＡＸで使用されている電話機応答を優先してＦＡＸ信号（ＣＮＧ）を検出するとＦＡＸに切り替わる仕様を固定電話機１、移動電話機21、アナログ回線Ｉ／Ｆ19に接続されたＦＡＸ40で実現する設定であり、（３）ＦＡＸ自動切替設定は、一般ＦＡＸで使用されている着信に対して固定電話機１で自動応答し応答メッセージ送出中にＦＡＸ信号（ＣＮＧ）を検出するとＦＡＸ応答に切り替える設定を固定電話機１、移動電話機21、アナログ回線Ｉ／Ｆ19に接続されたＦＡＸ40で実現する設定であり、（４）ダイヤルイン設定は、ＩＳＤＮ回線60をダイヤルイン番号契約することにより音声着信を受ける固定電話機１、移動電話機21とＦＡＸを受けるアナログ回線Ｉ／Ｆ19に接続されたＦＡＸ40の番号を分けて使用する設定である。
【００１８】
次に実際の操作・制御フローで各種設定状態での操作・制御を説明する。
図５は、▲１▼ＦＡＸ接続無し設定（在宅モード）での操作・制御を示すものであり、図５において、ＦＡＸ接続無し設定（在宅モード）では、ＤＳＵ17を介してＩＳＤＮＩ／Ｆ５が呼設定をＩＳＤＮ回線60から受けるとマイクロコンピュータ６に伝え、マイクロコンピュータ６がＩＤメモリ９から設定データを確認し、ＩＳＤＮＩ／Ｆ５を介してスピーカ15に外線着信音を送出し、また送信部４からアンテナ２を通し移動電話機21に外線着信を通知する。このときアナログ回線Ｉ／Ｆ19にもＩＳＤＮＩ／Ｆ５を介して外線着信信号を送出する。(Ｓ１参照)。
【００１９】
在宅応答設定の15／30回全ての電話機を鳴動させてオフフック検出するが応答がない場合は、全ての電話機の鳴動を止めてマイクロコンピュータ６が音声信号処理部（ＤＳＰ）12を制御しＩＳＤＮＩ／Ｆ５を介してＤＳＵ17経由でＩＳＤＮ回線60に応答メッセージ「ただいま留守にしています。恐れ入りますが、後ほどおかけ直し下さい。」を送出する。(Ｓ２参照)。
【００２０】
この状態でも、固定電話機１、移動電話機21とアナログ回線Ｉ／Ｆ19に接続されたＦＡＸのオフフック検出（着信応答）を行い検出されれば電話機の通話に切り替える。また応答メッセージ送出後はマイクロコンピュータ６からＩＳＤＮＩ／Ｆ５、ＤＳＵ17を制御して回線を解放する。
【００２１】
図６は、▲２▼ＦＡＸ接続無し設定（留守モード）での操作・制御を示すものであり、図６において、ＦＡＸ接続無し設定（留守モード）では、ＤＳＵ17を介してＩＳＤＮＩ／Ｆ５が呼設定をＩＳＤＮ回線60から受けるとマイクロコンピュータ６に伝え、マイクロコンピュータ６がＩＤメモリ９から設定データを確認し、ＩＳＤＮＩ／Ｆ５を介してスピーカ15に外線着信音を送出し、また送信部４からアンテナ２を通し移動電話機21に外線着信を通知する。このときアナログ回線Ｉ／Ｆ19にもＩＳＤＮＩ／Ｆ５を介して外線着信信号を送出する。(Ｓ３参照)。
【００２２】
規定回数全ての電話機を鳴動させてオフフック検出するが応答がない場合は、全ての電話機の鳴動を止めマイクロコンピュータ６が音声信号処理部（ＤＳＰ）12を制御しＩＳＤＮＩ／Ｆ５を介してＤＳＵ17経由でＩＳＤＮ回線60に応答メッセージ「ただいま留守にしています。恐れ入りますが、ピーとなりましたらお名前とご用件をお話下さい。」を送出する。(Ｓ４参照)。
【００２３】
この状態では、固定電話機１のオフフックの検出は行うが移動電話機21とアナログ回線Ｉ／Ｆ19に接続されたＦＡＸのオフフック検出（着信応答）は行わない。また応答メッセージ送出後はマイクロコンピュータ６から音声信号処理部（ＤＳＰ）12を制御してＩＳＤＮＩ／Ｆ５、ＤＳＵ17を介してＩＳＤＮ回線60の発呼者の用件録音を行う。(Ｓ５参照)。
【００２４】
つまり、アナログ回線Ｉ／Ｆ19には一般電話機が接続された時の操作・制御フローを行う。しかし、用件録音中にＦＡＸ信号（ＣＮＧ）を検出した場合は、マイクロコンピュータ６が音声信号処理部（ＤＳＰ）12を制御してそこまでの用件録音を残して録音を停止する。これはＦＡＸ着信があったことを残すために行い、使用者にＦＡＸ着信が有ったことが後で用件再生を行った時にわかるようにするためである。
【００２５】
図７は、▲３▼手動切替設定（在宅モード）での操作・制御を示すものであり、図７において、手動切替設定（在宅モード）では、ＤＳＵ17を介してＩＳＤＮＩ／Ｆ５が呼設定をＩＳＤＮ回線60から受けるとマイクロコンピュータ６に伝え、マイクロコンピュータ６がＩＤメモリ９から設定データを確認し、ＩＳＤＮＩ／Ｆ５を介してスピーカ15に固定電話の外線着信音を送出し、また送信部４からアンテナ２を通し移動電話機21に外線着信を通知する。このときアナログ回線Ｉ／Ｆ19には外線着信信号を送出しない。(Ｓ６参照)。
【００２６】
規定回数全ての電話機を鳴動させてオフフック検出するが応答がない場合は、全ての電話機の鳴動を止めマイクロコンピュータ６が音声信号処理部（ＤＳＰ）12を制御しＩＳＤＮＩ／Ｆ５を介してＤＳＵ17経由でＩＳＤＮ回線60に応答メッセージ「ただいま留守にしています。恐れ入りますが、後ほどおかけ直し下さい。」を送出する。(Ｓ７参照)。
【００２７】
この状態でも、固定電話機１、移動電話機21はオフフック検出（着信応答）を行い検出されれば固定／移動電話機の通話に切り替える。しかしアナログ回線Ｉ／Ｆ19に接続されたＦＡＸのオフフック検出（着信応答）は行わない。また応答メッセージ送出後はマイクロコンピュータ６からＩＳＤＮＩ／Ｆ５、ＤＳＵ17を制御して回線を解放する。
【００２８】
もし固定電話機１、移動電話機21で着信応答した場合は、通話中にマイクロコンピュータ６から音声信号処理部（ＤＳＰ）12、ＩＳＤＮＩ／Ｆ５を制御して通話中にＦＡＸ信号（ＣＮＧ）検出を行いＣＮＧ検出したらマイクロコンピュータ６から音声信号処理部（ＤＳＰ）12、ＩＳＤＮＩ／Ｆ５を制御して「ファクシミリに転送します。」のガイダンスを送出して固定／移動電話機を終話させアナログ回線Ｉ／Ｆ19を着信(1300Ｈｚ／16Ｈｚ着信)状態とする。(Ｓ１０参照)。これによりＦＡＸ着信をアナログ回線Ｉ／Ｆ19に接続されたＦＡＸ40で応答することができる。
【００２９】
図８は、▲４▼手動切替・自動切替設定（留守モード）での操作・制御を示すものであり、図８において、手動切替・自動切替設定（留守モード）では、ＤＳＵ17を介してＩＳＤＮＩ／Ｆ５が呼設定をＩＳＤＮ回線60から受けるとマイクロコンピュータ６に伝え、マイクロコンピュータ６がＩＤメモリ９から設定データを確認し、規定回数全ての電話機を鳴動させてオフフック検出する。(Ｓ１１参照)。
【００３０】
電話機のオフフックがない場合は、全ての電話機の鳴動を止めマイクロコンピュータ６が音声信号処理部（ＤＳＰ）12、ＩＳＤＮＩ／Ｆ５を制御して回線を捕捉後数秒の無音時間を設け、ＣＮＧ検出を行う。ここでＣＮＧが検出されたらマイクロコンピュータ６はアナログ回線Ｉ／Ｆ19を着信(1300Ｈｚ／16Ｈｚ着信)状態とする。これによりＦＡＸ着信をアナログ回線Ｉ／Ｆ19に接続されたＦＡＸ40で応答することができる。
【００３１】
また、ＣＮＧが検出されなかった場合は、マイクロコンピュータ６が音声信号処理部（ＤＳＰ）12を制御してＩＳＤＮ回線Ｉ／Ｆ５を介してＤＳＵ17経由でＩＳＤＮ回線60に応答メッセージ「ただいま留守にしています。恐れ入りますが、ピーとなりましたらお名前とご用件をお話下さい。ファクシミリの方は送信してください。」を送出する。(Ｓ１２参照)。
【００３２】
この状態では、固定電話機１のオフフックの検出は行うが移動電話機21とアナログ回線Ｉ／Ｆ19に接続されたＦＡＸ40のオフフック検出（着信応答）は行わない。また応答メッセージ送出後はマイクロコンピュータ６から音声信号処理部（ＤＳＰ）12を制御してＩＳＤＮＩ／Ｆ５、ＤＳＵ17を介してＩＳＤＮ回線60の発呼者の用件録音を行い、この間マイクロコンピュータ６からＩＳＤＮＩ／Ｆ５と音声信号処理部（ＤＳＰ）12を制御してＦＡＸ信号（ＣＮＧ）検出と終話検出を行いＣＮＧ検出されたらＦＡＸ応答を行う。
【００３３】
終話検出したら用件録音を完了してＩＳＤＮＩ／Ｆ５、ＤＳＵ17を制御して回線を解放する。もし固定電話機１のオフフックが検出されたら固定電話機１の着信応答とする。これにより音声着信時は用件録音を行い、ＦＡＸ着信時はＦＡＸで応答することが可能となる。
【００３４】
図９は、▲５▼自動切替設定（在宅モード）での操作・制御を示すものであり、図９において、自動切替設定（在宅モード）では、ＤＳＵ17を介してＩＳＤＮＩ／Ｆ５が呼設定をＩＳＤＮ回線60から受けるとマイクロコンピュータ６に伝え、マイクロコンピュータ６がＩＤメモリ９から設定データを確認し、マイクロコンピュータ６が音声信号処理部（ＤＳＰ）12、ＩＳＤＮＩ／Ｆ５を制御して回線を捕捉後数秒の無音時間を設け、ＣＮＧ検出を行う。ここでＣＮＧが検出されたらマイクロコンピュータ６はアナログ回線Ｉ／Ｆ19を着信(1300Ｈｚ／16Ｈｚ着信)状態とする。これによりＦＡＸ着信をアナログ回線Ｉ／Ｆ19に接続されたＦＡＸ40で応答することができる。
【００３５】
また、ＣＮＧが検出されなかった場合は、マイクロコンピュータ６が音声信号処理部（ＤＳＰ）12を制御してＩＳＤＮＩ／Ｆ５を介してＤＳＵ17経由でＩＳＤＮ回線60に応答メッセージ「ただいま呼び出しますのでしばらくお待ち下さい。ファクシミリの方は送信してください。」を送出する。(Ｓ１３参照)。
【００３６】
応答メッセージ送出後はマイクロコンピュータ６からＩＳＤＮＩ／Ｆ５、音声信号処理部（ＤＳＰ）12を制御してスピーカ15から疑似呼び出し音を固定電話機１に送出する。また送信部４からアンテナ２を通し移動電話機21に外線着信を通知する。(Ｓ１４参照)。しかしアナログ回線Ｉ／Ｆ19は待ち受けの状態とする。
【００３７】
この間マイクロコンピュータ６からＩＳＤＮＩ／Ｆ５と音声信号処理部（ＤＳＰ）12を制御してＦＡＸ信号（ＣＮＧ）検出と終話検出を行いＣＮＧが検出されたらＦＡＸ応答を行う。終話検出されたらＩＳＤＮＩ／Ｆ５、ＤＳＵ17を制御して回線を解放する。もし固定電話機１、移動電話機21のオフフックが検出されたら固定／移動電話機の着信応答とする。
【００３８】
また、規定回数固定／移動電話機を疑似呼び出し音で鳴動させてオフフック検出するが応答がない場合は、固定／移動電話機の鳴動を止めマイクロコンピュータ６が音声信号処理部（ＤＳＰ）12を制御しＩＳＤＮＩ／Ｆ５、ＤＳＵ17経由してＩＳＤＮ回線60に応答メッセージ「呼び出しましたがどなたもお出になりません。恐れ入りますが、後ほどおかけ直し下さい。」を送出する。(Ｓ１５参照)。
【００３９】
この状態でも、固定電話機１、移動電話機21はオフフック検出（着信応答）を行い検出されれば電話機を通話に切り替える。また応答メッセージ送出後はマイクロコンピュータ６からＩＳＤＮＩ／Ｆ５、ＤＳＵ17を制御して回線を解放する。これにより固定電話機１または移動電話機21で応答する操作者は音声着信のみに応答することができ、ＦＡＸ着信は途中でアナログ回線Ｉ／Ｆ19に接続されたＦＡＸ40で応答が可能となる。
【００４０】
図１０は、▲６▼ダイヤルイン設定（在宅・留守モード）での操作・制御を示すものであり、図１０において、ダイヤルイン設定（在宅・留守モード）では、ダイヤルイン番号着信時はＤＳＵ17を介してＩＳＤＮＩ／Ｆ５が呼設定をＩＳＤＮ回線60から受けるとマイクロコンピュータ６に伝え、マイクロコンピュータ６がＩＤメモリ９から設定データを確認し、ＦＡＸのみアナログ回線Ｉ／Ｆ19を介して外線着信信号を送出する。その他の固定電話機１、移動電話機21は待ち受け状態のままであり応答することもできない。つまりダイヤルイン番号での着信は全てＦＡＸ着信であり、着信があり次第ＦＡＸが応答する。(Ｓ１６参照)。
【００４１】
また、グローバル番号着信時は、ＤＳＵ17を介してＩＳＤＮＩ／Ｆ５が呼設定をＩＳＤＮ回線60から受けるとマイクロコンピュータ６に伝え、マイクロコンピュータ６がＩＤメモリ９から設定データを確認し、ＩＳＤＮＩ／Ｆ５を介してスピーカ15に外線着信信号を送出し、また送信部４からアンテナ２を通し移動電話機21に外線着信を通知する。このときアナログ回線Ｉ／Ｆ19は外線着信とはしない。つまりグローバル番号着信は全て音声着信でありＦＡＸが応答する必要は全く無い。(Ｓ１７参照)。
【００４２】
このように、（１）ＦＡＸ接続無し設定（２）手動切替設定（３）自動切替設定（４）ダイヤルイン設定の４種類に分けて制御することにより音声着信とＦＡＸ着信を完全に分けて応答することが可能となる。
【００４３】
【発明の効果】
本発明は上記の実施の形態により明らかなように、以下に示す効果を有する。
（１）ＦＡＸ接続を固定電話機の簡単な設定のみで可能とする。
（２）固定電話機側にＦＡＸ（ＣＮＧ）信号検出機能を有するためコードレス子機でＦＡＸ受信を行っても自動的にＦＡＸに転送可能となる。
【図面の簡単な説明】
【図１】本発明の実施の形態におけるＩＳＤＮコードレス電話装置のシステムブロック図、
【図２】同コードレス電話装置における固定電話機の構成を示すブロック図、
【図３】同コードレス電話装置における移動電話機の構成を示すブロック図、
【図４】同コードレス電話装置における動作の概略的な流れを示すシーケンス図、
【図５】ＦＡＸ接続無し設定（在宅モード）での操作・制御を示す図、
【図６】ＦＡＸ接続無し設定（留守モード）での操作・制御を示す図、
【図７】手動切替設定（在宅モード）での操作・制御を示す図、
【図８】手動切替・自動切替設定（留守モード）での操作・制御を示す図、
【図９】自動切替設定（在宅モード）での操作・制御を示す図、
【図１０】ダイヤルイン設定（在宅・留守モード）での操作・制御を示す図である。
【符号の説明】
１  固定電話機
２、22  アンテナ
３、23  受信部
４、24  送信部
５  ＩＳＤＮＩ／Ｆ
６、26  マイクロコンピュータ
７、27  キー
８、28  ランプ・ＬＣＤ
９、29  ＩＤメモリ
10  電源回路
11  ドアホンＩ／Ｆ
12  音声信号処理部(ＤＳＰ)
14、34  マイク
15、35  スピーカ
16  ハンドセット
17  ＤＳＵ(ディジタルサービスユニット)
19  アナログ回線Ｉ／Ｆ
21  移動電話機
25  通話制御部
30  電圧検出部
31  充電池
32  トーン出力部
36  レシーバ
40  ＦＡＸ
60  ＩＳＤＮ回線
【図１】
0004188482.tif 000002
【図２】
0004188482.tif 000003
【図３】
0004188482.tif 000004
【図４】
0004188482.tif 000005
【図５】
0004188482.tif 000006
【図６】
0004188482.tif 000007
【図７】
0004188482.tif 000008
【図８】
0004188482.tif 000009
【図９】
0004188482.tif 000010
【図１０】
0004188482.tif 000011